(57)【要約】【課題】アプリケーションプログラムから出力される印刷対象データにおける原稿設定とプリンタドライバにおける印刷設定とで差異がある場合にプリンタドライバにおける印刷設定を容易に変更すること。【解決手段】アプリケーションプログラムから出力される印刷対象データにおける原稿設定とプリンタドライバにおける印刷設定とで差異があるか否かを判定する差異判定ステップと、前記差異があると判定された場合、前記差異の差異量を算出することが可能であるか否かを判定する算出可否判定ステップと、前記差異量を算出することが可能であると判定された場合、前記差異量を算出する差異量算出ステップと、を実行させる。【選択図】図８
2017097616.tif 000002
【特許請求の範囲】
【請求項１】
アプリケーションプログラムから出力される印刷対象データにおける原稿設定とプリンタドライバにおける印刷設定とで差異があるか否かを判定する差異判定ステップと、
前記差異があると判定された場合、前記差異の差異量を算出することが可能であるか否かを判定する算出可否判定ステップと、
前記差異量を算出することが可能であると判定された場合、前記差異量を算出する差異量算出ステップと、
を実行させることを特徴とする印刷設定プログラム。
【請求項２】
算出された前記差異量に基づいて前記印刷設定を変更する印刷設定変更ステップを実行させることを特徴とする請求項１に記載の印刷設定プログラム。
【請求項３】
前記差異があると判定された場合に、前記差異があることを通知するための画面を表示部に表示する通知画面表示ステップを実行させることを特徴とする請求項１又は２に記載の印刷設定プログラム。
【請求項４】
算出された前記差異量に基づき、変更後の前記印刷設定を表示部に表示する変更後印刷設定表示ステップを実行させることを特徴とする請求項１乃至３いずれか１項に記載の印刷設定プログラム。
【請求項５】
前記差異があるか否かの判定の対象となる設定は、指定された用紙の種類が通常のページとは異なるページの設定であり、
前記算出可否判定ステップは、前記用紙の種類が切り替わる回数、前記用紙の種類の順番、前記用紙の種類が通常のページとは異なるページのページ数が前記原稿設定と前記印刷設定とで同一である場合、前記差異量を算出することが可能であると判定することを特徴とする請求項１乃至４いずれか１項に記載の印刷設定プログラム。
【請求項６】
アプリケーションプログラムから出力される印刷対象データにおける原稿設定とプリンタドライバにおける印刷設定とで差異があるか否かを判定し、
前記差異があると判定された場合、前記差異の差異量を算出することが可能であるか否かを判定し、
前記差異量を算出することが可能であると判定された場合、前記差異量を算出することを特徴とする印刷設定方法。
【請求項７】
アプリケーションプログラムから出力される印刷対象データにおける原稿設定とプリンタドライバにおける印刷設定とで差異があるか否かを判定する差異判定部と、
前記差異があると判定された場合、前記差異の差異量を算出することが可能であるか否かを判定する算出可否判定部と、
前記差異量を算出することが可能であると判定された場合、前記差異量を算出する差異量算出部と、
を備えることを特徴とする情報処理装置。
【請求項８】
画像形成装置と請求項７に記載の情報処理装置とを備えることを特徴とする画像形成システム。
【発明の詳細な説明】
【技術分野】
【０００１】
本発明は、印刷設定プログラム、印刷設定方法、情報処理装置、画像形成システムに関する。
【背景技術】
【０００２】
通常、ＰＣ（Ｐｅｒｓｏｎａｌ  Ｃｏｍｐｕｔｅｒ）などの情報処理端末から画像形成装置に画像形成出力を実行させる場合、その情報処理端末にインストールされているプリンタドライバにより印刷条件を予め設定するようになっている。
【０００３】
このプリンタドライバには、印刷対象となる文書データ全体に共通の印刷条件を設定（以下、「共通設定」とする）する機能の他に、その共通設定とは異なる印刷条件を例外的に設定（以下、「例外設定」とする）する機能を備えているものがある（例えば、特許文献１を参照）。
【０００４】
この例外設定としては、例えば、用紙サイズ、厚紙か薄紙か、白色紙か有色紙かといった印刷用紙の種類、Ｎ  ｉｎ  １やＮ  ｕｐといった集約態様、片面印刷か両面印刷かといった印刷面、カラー印刷かモノクロ印刷かといった印刷出力の色などを特定のページに限って変更する場合が挙げられる。
【０００５】
ところで、文書作成ソフトなどのアプリケーションプログラム（以下、「アプリ」とする）により、例外設定の対象となるページ（以下、「例外ページ」とする）が含まれる文書データを作成して印刷する場合、プリンタドライバ側でもその例外設定に合わせて印刷条件を設定することにより、所望の印刷物を得ることができる。
【０００６】
例えば、文書全体の原稿サイズがＡ４で、２０〜３０ページ目のみ原稿サイズがＡ３となるような文書データをアプリにより作成して印刷する場合、プリンタドライバ側では、印刷用紙サイズに関する共通設定としてＡ４を設定し、例外設定として２０〜３０ページ目のみＡ３を設定することにより、所望の印刷物を得ることができる。
【発明の概要】
【発明が解決しようとする課題】
【０００７】
ところが、このようにして文書データを作成して印刷した後、この文書データを編集して再印刷する場合、例外ページがずれることがある。例えば、上述した文書データの編集時に、１〜１９ページ目の範囲に追記を行った場合、２０〜３０ページ目であった例外ページが後ろにずれ、反対に、１〜１９ページ目の範囲の記載を削除した場合、２０〜３０ページ目であった例外ページが前にずれることがある。
【０００８】
そして、このような場合、ユーザは、文書データの編集に合わせてプリンタドライバによる印刷条件を再設定しなければならないが、その前に、例外ページがずれたか否かを目視で確認し、ずれている場合には、どのページがどれだけずれているかを目視で確認しなければならず、確認作業に手間がかかるといった問題がある。
【０００９】
また、このような場合、ユーザは、文書データの編集に合わせてプリンタドライバによる印刷条件を再設定しなければならないが、例外設定についてはその対象となるページ毎にページ番号を入力しなければならないため、再設定に手間がかかるといった問題がある。
【００１０】
また、このような場合、ユーザは、例外ページがずれたことに気付かないで印刷を行った場合、印刷ミスとなってしまうといった問題がある。尚、このような問題は、例外ページ設定がずれる場合に限らず、アプリケーションプログラムから出力される印刷対象データにおける原稿設定とプリンタドライバにおける印刷設定とで差異があれば同様に生じ得る問題である。
【００１１】
本発明は、このような課題を解決するためになされたものであり、アプリケーションプログラムから出力される印刷対象データにおける原稿設定とプリンタドライバにおける印刷設定とで差異がある場合にプリンタドライバにおける印刷設定を容易に変更することを目的とする。
【課題を解決するための手段】
【００１２】
上記課題を解決するために、本発明の一態様は、アプリケーションプログラムから出力される印刷対象データにおける原稿設定とプリンタドライバにおける印刷設定とで差異があるか否かを判定する差異判定ステップと、前記差異があると判定された場合、前記差異の差異量を算出することが可能であるか否かを判定する算出可否判定ステップと、前記差異量を算出することが可能であると判定された場合、前記差異量を算出する差異量算出ステップと、を実行させることを特徴とする。
【発明の効果】
【００１３】
本発明によれば、アプリケーションプログラムから出力される印刷対象データにおける原稿設定とプリンタドライバにおける印刷設定とで差異がある場合にプリンタドライバにおける印刷設定を容易に変更することができる。
【図面の簡単な説明】
【００１４】
【図１】本発明の実施形態に係る画像形成システムの運用形態を示す図である。
【図２】本発明の実施形態に係るクライアント端末のハードウェア構成を模式的に示すブロック図である。
【図３】本発明の実施形態に係るクライアント端末の機能構成を模式的に示すブロック図である。
【図４】本発明の実施形態に係る印刷ジョブデータ生成部により生成された印刷ジョブデータのデータ構成を説明する図である。
【図５】本発明の実施形態に係る印刷ジョブデータ生成部により生成された印刷ジョブデータのデータ構成を説明する図である。
【図６】本発明の実施形態に係る印刷ジョブデータ生成部により生成された印刷ジョブデータのデータ構成を説明する図である。
【図７】本発明の実施形態に係るクライアント端末がプリンタに印刷出力を実行させる際の処理を説明するためのシーケンス図である。
【図８】本発明の実施形態に係る例外ページずれ検出部によるページずれ検出処理を説明するためのフローチャートである。
【図９】本発明の実施形態に係る例外ページ再設定画面の表示例を示す図である。
【図１０】本発明の実施形態に係る例外ページずれ通知画面の表示例を示す図である。
【図１１】本発明の実施形態に係るＵＩ表示部が例外ページずれ通知画面において押下されたボタンに応じて行う処理を説明するためのフローチャートである。
【図１２】本発明の実施形態に係るＵＩ表示部が例外ページ再設定画面において押下されたボタンに応じて行う処理を説明するためのフローチャートである。
【発明を実施するための形態】
【００１５】
以下、図面を参照して、本発明の実施形態を詳細に説明する。本実施形態においては、プロダクトプリンティング分野において、ＪＤＦ（Ｊｏｂ  Ｄｅｆｉｎｉｔｉｏｎ  Ｆｏｒｍａｔ）と呼ばれる情報形式により、印刷物の生成に関するあらゆる処理を定義して制御する方法について説明する。この方法によれば、印刷工程の各工程において行われる作業や処理、設定を一括して管理することが可能となる。
【００１６】
このような方法においては、印刷工程の各工程で共通して用いられるＪＤＦチケットと呼ばれるファイルが生成され、そのＪＤＦチケットに、各工程において行われた作業や処理、設定などの内容が書き出されるようになっている。
【００１７】
即ち、このような方法において、印刷工程の各工程で使用されるソフトウェアやシステムは、作業や処理、設定を行うに際して上記ＪＤＦチケットを読み込み、自身が行った作業や処理、設定などの内容をそのＪＤＦチケットに書き出すようになっている。これは、印刷工程の一工程で使用され、印刷条件に関する設定を行うプリンタドライバについても同様である。
【００１８】
まず、本実施形態に係る画像形成システムの運用形態について、図１を参照して説明する。図１は、本実施形態に係る画像形成システムの運用形態を示す図である。
【００１９】
図１に示すように、本実施形態に係る画像形成システムは、クライアント端末１、プリンタ２、プリントサーバ３がネットワーク４を介して接続されて構成されている。
【００２０】
クライアント端末１は、ユーザが操作する情報処理端末であり、ＰＣ（Ｐｅｒｓｏｎａｌ  Ｃｏｍｐｕｔｅｒ）等の情報処理装置によって実現される。本実施形態に係るクライアント端末１は、プリンタ２に印刷出力を実行させるためのプリンタドライバがインストールされており、このプリンタドライバにより印刷出力の対象となる文書データに関する印刷ジョブデータを生成し、プリントサーバ３に送信する。
【００２１】
プリンタ２は、画像形成出力を実行する画像形成装置であり、プリントサーバ３から入力された印刷ジョブデータに従って印刷出力を実行する。
【００２２】
プリントサーバ３は、ネットワーク上に存在する共有サーバであり、クライアント端末１から入力された印刷ジョブデータに対してＪＤＦチケットに記述された印刷設定に従った処理を行い、プリンタ２に送信する。このように、本実施形態においては、プリントサーバ３が印刷ジョブデータに対して印刷設定に関する処理を行うため、クライアント端末１は、文書データに対して印刷設定に関する処理を行う必要がない。
【００２３】
次に、本実施形態に係るクライアント端末１、プリンタ２、サーバ３のハードウェア構成について、図２を参照して説明する。図２は、本実施形態に係るクライアント端末１のハードウェア構成を模式的に示すブロック図である。尚、図２においては、クライアント端末１のハードウェア構成を例として示しているが、プリンタ２、プリントサーバ３についても同様である。
【００２４】
図２に示すように、本実施形態に係るクライアント端末１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０、入力装置５０、表示装置６０、通信Ｉ／Ｆ７０、がバス８０を介して接続されて構成されている。尚、プリンタ２は、この他、印刷出力を実行するために必要となるプリントエンジン等の専用のハードウェアを備えている。
【００２５】
ＣＰＵ１０は演算手段であり、クライアント端末１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。
【００２６】
ＨＤＤ４０は、情報の読み書きが可能な不揮発性の記憶媒体であり、ＯＳ（Ｏｐｅｒａｔｉｎｇ  Ｓｙｓｔｅｍ）、画像データ等の各種データ、プリンタドライバ等の各種制御プログラム、アプリケーションプログラム等の各種プログラムを格納する。
【００２７】
入力装置５０は、クライアント端末１に情報を入力するためのユーザインタフェースであり、キーボードやマウス、ボタン、タッチパネルなどの入力装置によって実現される。表示装置６０は、ユーザがクライアント端末１の状態を確認するための視覚的ユーザインタフェースであり、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）などの表示装置によって実現される。尚、プリントサーバ３は、上述したように、ネットワーク上に存在する共有サーバであるため、入力装置５０、表示装置６０については省略可能である。
【００２８】
通信Ｉ／Ｆ７０は、クライアント端末１が他の装置と通信するためのインタフェースであり、Ｅｔｈｅｒｎｅｔ（登録商標）、ＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＩｒＤＡ（Ｉｎｆｒａｒｅｄ  Ｄａｔａ  Ａｓｓｏｃｉａｔｉｏｎ）（登録商標）、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等のインタフェースによって実現される。
【００２９】
次に、本実施形態に係るクライアント端末１の機能構成について、図３を参照して説明する。図３は、本実施形態に係るクライアント端末１の機能構成を模式的に示す図ロック図である。
【００３０】
図３に示すように、本実施形態に係るクライアント端末１は、プリンタドライバ１００、アプリケーションプログラム（以下、「アプリ」とする）１１０、スプーラサービス１２０、ネットワークＩ／Ｆ１３０を備えている。
【００３１】
プリンタドライバ１００は、クライアント端末１は、プリンタ２に印刷出力を実行させるためのデバイスドライバである。即ち、本実施形態においては、プリンタドライバ１００が印刷設定プログラムとして実行される。アプリ１１０は、印刷出力の対象となる文書データを作成したり表示したりする文書作成ソフトや文書表示ソフトなどのアプリケーションプログラムである。
【００３２】
スプーラサービス１２０は、プリンタドライバ１００により生成された印刷ジョブデータをスプールする。ネットワークＩ／Ｆ１３０は、クライアント端末１がネットワークを介してプリンタ２やプリントサーバ３等の他の装置と通信するためのインタフェースである。
【００３３】
尚、本実施形態に係るプリンタドライバ１００は、印刷対象となる文書データ全体に共通の印刷条件を設定（以下、「共通設定」とする）する機能の他に、その共通設定とは異なる印刷条件を例外的に設定（以下、「例外設定」とする）する機能を備えている。
【００３４】
この例外設定としては、例えば、用紙サイズ、厚紙か薄紙か、白色紙か有色紙かといった印刷用紙の種類、Ｎ  ｉｎ  １やＮ  ｕｐといった集約態様、片面印刷か両面印刷かといった印刷面、カラー印刷かモノクロ印刷かといった印刷出力の色などを特定のページに限って変更する場合が挙げられる。
【００３５】
本実施形態に係るプリンタドライバ１００は、このような機能を利用して、例外設定の対象となるページ（以下、「例外ページ」とする）が含まれる文書データがアプリ１１０により作成され、その文書データを印刷する場合、その例外設定に合わせて印刷条件を設定することにより、所望の印刷物を得ることができる。
【００３６】
例えば、文書全体（以下、「通常ページ」とする）の原稿サイズがＡ４で、２０〜３０ページ目（例外ページ）のみ原稿サイズがＡ３となるような文書データをアプリ１１０により作成して印刷する場合、プリンタドライバ１００側では、印刷用紙サイズに関する共通設定としてＡ４を設定し、例外設定として２０〜３０ページ目（例外ページ）のみＡ３を設定することにより、所望の印刷物を得ることができる。
【００３７】
図３に示すように、本実施形態に係るプリンタドライバ１００は、ＵＩ（Ｕｓｅｒ  Ｉｎｔｅｒｆａｃｅ）表示部１０１、印刷設定情報記憶部１０２、例外ページずれ検出部１０３、印刷ジョブデータ生成部１０４を備える。
【００３８】
ＵＩ表示部１０１は、印刷設定画面や例外ページずれ通知画面、例外ページ再設定画面など、プリンタドライバ１００が提供する機能をユーザが利用可能なようにＵＩを表示する。印刷設定情報記憶部１０２は、印刷設定画面において設定された印刷条件の設定情報（以下、「印刷設定情報」とする）を記憶する。
【００３９】
例外ページずれ検出部１０３は、アプリ１１０により設定された例外ページとプリンタドライバ１００により設定された例外ページとのずれを検出し、それらがどれくらいずれているか（以下、「ページずれ量」とする）を算出するページずれ検出処理を行う。この例外ページずれ検出部１０３によるページ検出処理が本実施形態に係る要旨の一つである。
【００４０】
印刷ジョブデータ生成部１０４は、印刷設定画面において設定された印刷条件（印刷設定）とアプリ１１０から入力された文書データに基づいて印刷ジョブデータを生成するモジュールであり、ＪＭＦ／ＪＤＦ（Ｊｏｂ  Ｍｅｓｓａｇｉｎｇ  Ｆｏｒｍａｔ／Ｊｏｂ  Ｄｅｆｉｎｉｔｉｏｎ  Ｆｏｒｍａｔ）生成部１０５、印刷用文書データ生成部１０６、スプーラ制御部１０７を備える。
【００４１】
ＪＭＦ／ＪＤＦ生成部１０５は、印刷設定情報記憶部１０２に記憶されている印刷設定情報に基づいてＪＭＦ、ＪＤＦを生成する。印刷用文書データ生成部１０６は、アプリ１１０から取得した文書データに基づいて印刷文書用データ生成部を生成する。このＪＭＦ／ＪＤＦ生成部１０５、印刷用文書データ生成部１０６により生成されたＪＭＦ、ＪＤＦ、印刷用文書データが印刷ジョブデータとして生成される。スプーラ制御部１０７は、生成された印刷ジョブデータのスプーラサービス１２０へのスプールを制御する。
【００４２】
次に、本実施形態に係る印刷ジョブデータ生成部１０４により生成された印刷ジョブデータのデータ構成について、図４〜図６を参照して説明する。図４〜図６は、本実施形態に係る印刷ジョブデータ生成部１０４により生成された印刷ジョブデータのデータ構成を説明する図である。
【００４３】
図４、図５に示すように、本実施形態に係る印刷ジョブデータ生成部１０４により生成された印刷ジョブデータは、印刷用文書データ（Ｄａｔａ  Ｓｔｒｅａｍ）、ＪＭＦ、ＪＤＦの３つのデータで構成され、この順番で、ＭＩＮＥ（Ｍｕｌｔｉｐｕｒｐｏｓｅ  Ｉｎｔｅｒｎｅｔ  Ｍａｉｌ  Ｅｘｔｅｎｓｉｏｎ）フォーマットでパッケージングされ、ＭＩＭＥ  ｍｅｓｓａｇｅとして構成される。
【００４４】
ＭＩＭＥ  ｍｅｓｓａｇｅは、ＭＩＭＥ  ｈｅａｄｅｒとＭＩＭＥ  ｂｏｄｙで構成される。ＭＩＭＥ  ｈｅａｄｅｒは、ＭＩＭＥ  ｍｅｓｓａｇｅのヘッダである。ＭＩＭＥ  ｂｏｄｙは、ＭＩＭＥメッセージのマルチパート部で、ＪＭＦ  ｅｎｔｉｔｙ、ＪＤＦ  ｅｎｔｉｔｙ、Ｄａｔａ  Ｓｔｒｅａｍ  ｅｎｔｉｔｙで構成され、それぞれのｅｎｔｉｔｙ境界には「--」で始まる文字列が境界行として挿入される。
【００４５】
境界行（最後）は、「--」で始まる文字列の終わりに「--」が追加される。Ｄａｔａ  Ｓｔｒｅａｍ  ｅｎｔｉｔｙは、印刷用文書データで構成され、本実施形態においてはＰｏｓｔＳｃｒｉｐｔデータとなる。ＪＭＦ  ｅｎｔｉｔｙは、ＪＭＦで構成され、印刷実行を指定する。ＪＤＦ  ｅｎｔｉｔｙは、ＪＤＦで構成され、プリンタドライバ１００による印刷設定となる。図６に示すように、例外ページはここで指定される。尚、図６においては、３〜５ページ目が例外ページとしてＡ３が設定された例を示している。
【００４６】
このように、本実施形態に係るプリンタドライバ１００は、印刷用文書データを出力さし後にＪＤＦが出力するように構成されている。従って、本実施形態に係るプリンタドライバ１００は、印刷用文書データの生成後に印刷設定が変更された場合であっても、変更後の印刷設定に基づいてＪＤＦを再生成することができるため、変更後の印刷設定に基づいてプリンタ２に印刷出力を実行させることができる。
【００４７】
このように構成されたプリンタドライバ１００において、本実施形態に係る要旨の一つは、アプリ１１０とプリンタドライバ１００とで例外ページ設定がずれている場合に、それらのページずれ量を自動で算出し、それらが一致するようなプリンタドライバ１００の例外ページ設定をユーザに提示することにある。
【００４８】
本実施形態に係るプリンタドライバ１００は、このように構成されることで、アプリ１１０とプリンタドライバ１００とで例外ページ設定がずれている場合であっても、それらが一致するようにユーザが容易に例外ページ設定を変更することが可能となる。
【００４９】
また、本実施形態に係るプリンタドライバ１００は、このように構成されることで、アプリ１１０とプリンタドライバ１００とで例外ページ設定がずれている場合であっても、どのページがどれだけずれているかをユーザが容易に把握することが可能となる。
【００５０】
次に、本実施形態に係るクライアント端末１がプリンタ２に印刷出力を実行させる際の処理について、図７を参照して説明する、図７は、本実施形態に係るクライアント端末１がプリンタ２に印刷出力を実行させる際の処理を説明するためのシーケンス図である。
【００５１】
図７に示すように、本実施形態に係るクライアント端末１がプリンタ２に印刷出力を実行させる際にはまず、アプリ１１０は、ユーザ操作により印刷実行指示を受け付けると（Ｓ７０１）、文書データの１ページ目をプリンタドライバ１００に入力する（Ｓ７０２）。
【００５２】
そして、プリンタドライバ１００において印刷用文書データ生成部１０６は、アプリ１１０から入力された１ページ目の文書データに基づいて１ページ目の印刷用文書データを生成し、スプーラ制御部１０７を介してスプーラサービス１２０にスプールする（Ｓ７０３）。
【００５３】
そして、ＪＭＦ／ＪＤＦ生成部１０５は、最終ページの文書データがプリンタドライバ１００に入力されて（Ｓ７０４）、その印刷用文書データがスプールされると（Ｓ７０５）、印刷設定情報記憶部１０２に記憶されている印刷設定情報に基づいてＪＭＦ、ＪＤＦを生成し、スプーラ制御部１０７を介してスプーラサービス１２０にスプールする（Ｓ７０６）。そして、例外ページずれ検出部１０３は、ページずれ検出処理を行う。
【００５４】
次に、本実施形態に係る例外ページずれ検出部１０３によるページずれ検出処理について、図８を参照して説明する。図８は、本実施形態に係る例外ページずれ検出部１０３によるページずれ検出処理を説明するためのフローチャートである。
【００５５】
図８に示すように、例外ページずれ検出部１０３はまず、スプーラサービス１２０にスプールされている印刷ジョブデータから、アプリ１１０により設定された原稿条件（以下、「原稿設定」とする）が記述された設定情報（以下、「原稿設定情報」とする）を取得すると共に（Ｓ８０１）、印刷設定情報記憶部１０２から印刷設定情報を取得する（Ｓ８０２）。
【００５６】
そして、例外ページずれ検出部１０３は、原稿設定情報に記述されている原稿サイズが切り替わるときのページ番号と、印刷設定情報に記述されている例外ページのページ番号とを比較して、原稿設定と印刷設定とで例外ページがずれているか否かを判定する（Ｓ８０３）。即ち、本実施形態においては、例外ページずれ検出部１０３が差異判定部として機能し、Ｓ８０３の処理が差異判定ステップとして実行される。
【００５７】
例外ページずれ検出部１０３は、Ｓ８０３における判定処理において、原稿設定と印刷設定とで例外ページがずれていないと判定した場合（Ｓ８０３／ＮＯ）、そのままページずれ検出処理を終了する。
【００５８】
一方、例外ページずれ検出部１０３は、Ｓ８０３における判定処理において、原稿設定と印刷設定とで例外ページがずれていると判定した場合（Ｓ８０３／ＹＥＳ）、原稿設定における原稿サイズの切り替わり回数と、印刷設定における印刷用紙サイズの切り替わり回数とが同じであるか否かを判定する（Ｓ８０４）。
【００５９】
例外ページずれ検出部１０３は、Ｓ８０４における判定処理において、原稿設定と印刷設定とで上記切り替わり回数が同じであると判定した場合（Ｓ８０４／ＹＥＳ）、原稿設定における原稿サイズの順番と、印刷設定における印刷用紙サイズの順番とが同じであるか否を判定する（Ｓ８０５）。
【００６０】
例外ページずれ検出部１０３は、Ｓ８０５における判定処理において、原稿設定と印刷設定とで上記順番が同じであると判定した場合（Ｓ８０５／ＹＥＳ）、原稿設定と印刷設定とで例外ページのページ数が同じであるか否かを判定する（Ｓ８０６）。
【００６１】
例外ページずれ検出部１０３は、Ｓ８０６における判定処理において、原稿設定と印刷設定とで例外ページのページ数が同じであると判定した場合（Ｓ８０６／ＹＥＳ）、ページずれ量を算出することができると判定して（Ｓ８０７）、ページずれ量を算出する（Ｓ８０８）。
【００６２】
即ち、本実施形態においては、例外ページずれ検出部１０３が算出可否判定部として機能し、Ｓ８０７の処理が算出可否判定ステップとして実行される。また、本実施形態においては、例外ページずれ検出部１０３が差異量算出部として機能し、Ｓ８０８の処理が差異量算出ステップとして実行され、ページずれ量が差異量として算出される。
【００６３】
そして、例外ページずれ検出部１０３は、算出したページずれ量に基づき、ＵＩ表示部１０１に例外ページ再設定画面を表示させる（Ｓ８０９）。ここで、本実施形態に係る例外ページ再設定画面の表示例を図９に示す。図９は、本実施形態に係る例外ページ再設定画面の表示例を示す図である。
【００６４】
図９に示すように、本実施形態に係る例外ページ再設定画面には、現在のアプリケーション設定とプリンタドライバ設定とが表示されると共に、アプリケーション設定における例外ページ設定（原稿サイズ変更ページ）とプリンタドライバ設定における例外ページ設定とが一致するようにプリンタドライバ設定が変更された場合の、変更後のプリンタドライバ設定が表示される。即ち、本実施形態においては、Ｓ８０９の処理が変更後印刷設定表示ステップとして実行される。また、図９に示すように、本実施形態に係る例外ページ再設定画面には、印刷を中止する「印刷中止」ボタン、そのまま印刷を続行する「設定変更せずに印刷」ボタン、印刷設定を変更して印刷する「設定変更して印刷」ボタンが表示される。
【００６５】
尚、図９に示すように、変更後のプリンタドライバ設定には、Ｓ８０８において算出されたページずれ量が反映された値が予め表示されているが、その値をユーザが変更することができるように入力ボックスに表示される。
【００６６】
このように、本実施形態に係るプリンタドライバ１００は、アプリ１１０による例外ページ設定とプリンタドライバ１００とで例外ページ設定がずれている場合に、それらのページずれ量を自動で算出し、それらが一致するようなプリンタドライバ１００の例外ページ設定をユーザに提示するように構成されている。
【００６７】
本実施形態に係るプリンタドライバ１００は、このように構成されることで、アプリ１１０とプリンタドライバ１００とで例外ページ設定がずれている場合であっても、それらが一致するようにユーザが容易に例外ページ設定を変更することが可能となる。
【００６８】
また、本実施形態に係るプリンタドライバ１００は、このように構成されることで、アプリ１１０とプリンタドライバ１００とで例外ページ設定がずれている場合であっても、どのページがどれだけずれているかをユーザが容易に把握することが可能となる。
【００６９】
一方、例外ページずれ検出部１０３は、Ｓ８０４における判定処理において、原稿設定と印刷設定とで上記切り替わり回数が同じではないと判定した場合（Ｓ８０４／ＮＯ）、Ｓ８０５における判定処理において、原稿設定と印刷設定とで上記順番が同じではないと判定した場合（Ｓ８０５／ＮＯ）、Ｓ８０６における判定処理において、原稿設定と印刷設定とで例外ページのページ数が同じではないと判定した場合（Ｓ８０６／ＮＯ）、ページずれ量を算出することができないと判定して（Ｓ８１０）、例外ページずれ通知画面をＵＩ表示部１０１に表示させる（Ｓ８１１）。
【００７０】
ここで、本実施形態に係る例外ページずれ通知画面の表示例を図９に示す。図１０は、本実施形態に係る例外ページずれ通知画面の表示例を示す図である。図１０に示すように、本実施形態に係る例外ページずれ通知画面には、アプリケーション設定とプリンタドライバ設定とで例外設定がずれていることを通知するための文章が表示される。即ち、本実施形態おいては、Ｓ８１１の処理が通知画面表示ステップとして実行される。また、図１０に示すように、例外ページずれ通知画面には、印刷を中止する「印刷中止」ボタン、そのまま印刷を続行する「設定変更せずに印刷」ボタンが表示される。
【００７１】
このように、本実施形態に係るプリンタドライバ１００は、アプリ１１０とプリンタドライバ１００とで例外ページ設定がずれている場合に、それらがずれていることをユーザに通知するように構成されている。
【００７２】
本実施形態に係るプリンタドライバ１００は、このように構成されることで、アプリ１１０とプリンタドライバ１００とで例外ページ設定がずれている場合であっても、それらがずれていることを容易にユーザが把握することが可能となる。
【００７３】
次に、本実施形態に係るＵＩ表示部１０１が例外ページずれ通知画面において押下されたボタンに応じて行う処理について、図１１を参照して説明する。図１１は、本実施形態に係るＵＩ表示部１０１が例外ページずれ通知画面において押下されたボタンに応じて行う処理を説明するためのフローチャートである。
【００７４】
ＵＩ表示部１０１は、例外ページずれ通知画面において「印刷中止」ボタンが押下されると（Ｓ１１０１／印刷中止）、スプーラ制御部１０７を介してスプーラサービスに印刷中止を指示する（Ｓ１１０２）。
【００７５】
一方、ＵＩ表示部１０１は、例外ページずれ通知画面において「設定変更せずに印刷」ボタンが押下されると（Ｓ１１０１／設定変更せずに印刷）、スプーラ制御部１０７を介してスプーラサービスに印刷続行を指示する（Ｓ１１０３）。
【００７６】
次に、本実施形態に係るＵＩ表示部１０１が例外ページ再設定画面において押下されたボタンに応じて行う処理について、図１２を参照して説明する。図１２は、本実施形態に係るＵＩ表示部１０１が例外ページ再設定画面において押下されたボタンに応じて行う処理を説明するためのフローチャートである。
【００７７】
ＵＩ表示部１０１は、例外ページ再設定画面において「印刷中止」ボタンが押下されると（Ｓ１２０１／印刷中止）、スプーラ制御部１０７を介してスプーラサービスに印刷中止を指示する（Ｓ１２０２）。
【００７８】
一方、ＵＩ表示部１０１は、例外ページ再設定画面において「設定変更せずに印刷」ボタンが押下されると（Ｓ１２０１／設定変更せずに印刷）、スプーラ制御部１０７を介してスプーラサービスに印刷続行を指示する（Ｓ１２０３）。
【００７９】
また、ＵＩ表示部１０１は、例外ページ再設定画面において「設定変更して印刷」ボタンが押下されると（Ｓ１２０１／設定変更して印刷）、印刷設定情報記憶部１０２に記憶されている印刷設定情報を変更後の印刷設定情報に書き換え（Ｓ１２０４）、ＪＭＦ／ＪＤＦ生成部１０５にＪＭＦ、ＪＤＦの再生成を指示する（Ｓ１２０５）。即ち、本実施形態においては、Ｓ１２０４の処理が印刷設定変更ステップとして実行される。
【００８０】
尚、本実施形態においては、アプリ１１０とプリンタドライバ１００とで例外ページ設定がずれた場合の処理について説明したが、アプリ１１０から出力される印刷対象データにおける原稿設定とプリンタドライバ１００における印刷設定とで差異があれば同様に適用可能である。
【符号の説明】
【００８１】
１  クライアント端末
２  プリンタ
３  サーバ
４  ネットワーク
１０  ＣＰＵ
２０  ＲＡＭ
３０  ＲＯＭ
４０  ＨＤＤ
５０  入力装置
６０  表示装置
７０  通信Ｉ／Ｆ
８０  バス
１００  プリンタドライバ
１０１  ＵＩ表示部
１０２  印刷設定情報記憶部
１０３  例外ページずれ検出部
１０４  印刷ジョブデータ生成部
１０５  ＪＭＦ／ＪＤＦ生成部
１０６  印刷用文書データ生成部
１０７  スプーラ制御部
１１０  アプリケーションプログラム
１２０  スプーラサービス
１３０  ネットワークＩ／Ｆ
【先行技術文献】
【特許文献】
【００８２】
【特許文献１】特開２０１３−０１２０３３号公報
【図１】
2017097616.tif 000003
【図２】
2017097616.tif 000004
【図３】
2017097616.tif 000005
【図４】
2017097616.tif 000006
【図５】
2017097616.tif 000007
【図６】
2017097616.tif 000008
【図７】
2017097616.tif 000009
【図８】
2017097616.tif 000010
【図９】
2017097616.tif 000011
【図１０】
2017097616.tif 000012
【図１１】
2017097616.tif 000013
【図１２】
2017097616.tif 000014